(57)【特許請求の範囲】
【請求項１】
相互に開閉自在に連結されるべき収納物体本体と扉のうち扉に取付けられるソケットと、前記ソケットに回動自在に取付けられ収納物体本体に取付けられるヒンジ本体と、前記扉に取り付ける取付け部材と、前記ソケットを前記取付け部材に着脱自在に取付けるソケット取付け手段とを備え、前記ソケット取付け手段は、前記ソケットを前記取付け部材に係止してこの係止点を中心として前記取付け部材に対して相対的に回動しつつ前記ソケットを前記取付け部材に弾性的に掛け止めして取付けるようにしたヒンジ装置において、前記ソケット取付け手段は、前記ソケットを前記取付け部材に嵌め込む方向の前方の一側端に設けられた被係止部と前記取付け部材に設けられ前記ソケットの被係止部を係止する係止部とから成り、前記ソケットの被係止部と前記取付け部材の係止部との係止点を中心として前記ソケットを斜め側方に押し付けつつ回動して前記ソケットを前記取付け部材に取付けることを特徴とするヒンジ装置。
【請求項２】
請求項１に記載のヒンジ装置であって、前記ソケットの被係止部は、前記ソケットを前記取付け部材に嵌め込む方向の前方の一側端の縁に設けられた被係止片から成っていることを特徴とするヒンジ装置。
【請求項３】
請求項１又は２に記載のヒンジ装置であって、前記取付け部材は、前記扉に固定されて前記ソケットが嵌入して取付けられる取付け孔を有する取付け板から成り、前記係止部は、前記取付け板の取付け孔の幅方向に対してほぼ直交するように設けられた係止片から成っていることを特徴とするヒンジ装置。
【請求項４】
請求項３に記載のヒンジ装置であって、前記取付け板は、前記ソケットを前記取付け部材に弾性的に掛け止めする掛け止め部が前記取付け部材の取り付け孔を潜り抜けるように案内する案内片を有することを特徴とするヒンジ装置。
【請求項５】
請求項３又は４に記載のヒンジ装置であって、前記ソケットは、前記ソケットが前記取付け板に掛け止めされた状態で前記取付け板に対し抜け出しを防止するように前記取付け板に係合する係合フランジを有することを特徴とするヒンジ装置。
【請求項６】
請求項１乃至５のいずれかに記載のヒンジ装置であって、前記ソケットと前記ヒンジ本体とはリンク機構を介して回動自在になっており、前記ソケットを前記取付け部材に弾性的に掛け止めする掛け止め部は、前記ソケットと前記リンク機構のアームとの間に配置されたスペーサに設けられていることを特徴とするヒンジ装置。
【請求項７】
請求項６に記載のヒンジ装置であって、前記スペーサは前記ソケットと前記リンク機構のアームとの間に設けられており、前記掛け止め部は、このスペーサを構成する２つの間隔をあけたスペーサ部分を連結するスペーサ連結部分から成っていることを特徴とするヒンジ装置。
【請求項８】
相互に開閉自在に連結されるべき収納物体本体と扉のうち扉に取付けられるべきソケットと、前記ソケットに回動自在に取付けられ収納物体本体に取付けられるべきヒンジ本体とから成り、前記ソケットを扉に取り付けた取付け部材に係止してこの係止点を中心として前記取付け部材に対して相対的に回動しつつ前記ソケットを前記取付け部材に弾性的に掛け止めして取付けられるようにしたヒンジアッセンブリにおいて、前記ソケットは、前記ソケットを前記取付け部材に嵌め込む方向の前方の一側端に設けられて前記取付け部材に係止されるべき被係止部を有することを特徴とするヒンジアッセンブリ。
【請求項９】
請求項８に記載のヒンジアッセンブリであって、前記ソケットの被係止部は、前記ソケットを前記取付け部材に嵌め込む方向の前方の一側端の縁に設けられた被係止片から成っていることを特徴とするヒンジアッセンブリ。
【発明の詳細な説明】
【技術分野】
【０００１】
本発明は、パチンコなどの遊戯具や家具等の如き扉を有する種々の収納物体の扉を収納物体本体に相互に開閉自在に連結するヒンジ装置に関し、特にヒンジ装置のソケットを扉に取付ける部分を改良したヒンジ装置、このヒンジ装置に用いられるヒンジアセンブリ及び取付け部材に関するものである。
【背景技術】
【０００２】
一般に、ヒンジ装置は、扉に取付けられるソケットと、このソケットにアームを介して取付けられたヒンジ本体とから成り、ヒンジ本体は、家具の箱形本体や遊戯具の収納物体の本体内面に取付け、ソケットは、扉の取付け部材に着脱自在に取付けられている。
【０００３】
最近、ソケットを扉にワンタッチで着脱自在に取付けるソケット取付け手段を備えたヒンジ装置が提案されている（特許文献１参照）。このヒンジ装置に用いられているソケット取付け手段は、特許文献１の図３に示すように、ソケット（カップ型被取付け部材）１の嵌め込み方向の手前（後方）の縁隅を、扉Ｄに埋め込んで固定された取付け部材であるカップケース４の手前（開口）側に設けられた係合片４２２の内側に係合し、このソケット１とカップケース４の係合片４２２との係合部分を中心にしてソケット１を回動してソケット１をカップケース（取付け部材）４に嵌め込んでソケット１をカップケース４に固定している。
【０００４】
このソケット取付け手段では、ソケット１を嵌め込み方向の手前側にある係合部分を中心に回動して嵌め込むので、扉側の取付け部材は、ソケットの回動時に係合部分が外れることがないように底付きのカップ状であることが要求され、このため、ソケット１と取付け部材とは相互に重合するカップ状の二重構造となって構造が複雑となり、またソケット１ががたつくことなく装着されるためにソケットが係合片４２２に係合する部分とは反対側の側壁部分がカップケース内に入り込むことができるように湾曲面１１ａ又は傾斜面を有することが要求され、ソケット１の加工が面倒となる欠点があった。
【０００５】
特に、ソケット１は、この湾曲面又は傾斜面を有する部分で若干の弾性変形を受けながら嵌り込むので、堅固に形成することができないため、特に重量のある扉を支持するヒンジ装置に使用することができなかった。
【０００６】
【特許文献１】実公平７−５４５２５号公報
【発明の開示】
【発明が解決しようとする課題】
【０００７】
本発明が解決しようとする１つの課題は、ソケットが取付けられるべき取付け部材の構造を複雑にすることなく，またソケットの加工を面倒にすることなく、ソケットを扉に確実に取付けることができるヒンジ装置を提供することにある。
【０００８】
本発明が解決しようとする他の課題は、ソケットを堅固に形成して重量がある扉を確実に支持することができるヒンジ装置を提供することにある。
【０００９】
本発明が解決しようとする他の課題は、ソケットが取付けられるべき取付け部材の構造を複雑にすることなく，またソケットの加工を面倒にすることなく、ソケットを扉に確実に取付けることができるヒンジアッセンブリを提供することにある。
【００１０】
本発明が解決しようとする更に他の課題は、簡単な構造のソケットでも扉に確実に取付
けることができるヒンジ装置用取付け部材を提供することにある。
【課題を解決するための手段】
【００１１】
本発明の基本的な課題解決手段は、相互に開閉自在に連結されるべき収納物体本体と扉のうち扉に取付けられるソケットと、このソケットに回動自在に取付けられ収納物体本体に取付けられるヒンジ本体と、扉に取り付ける取付け部材と、ソケットを取付け部材に着脱自在に取付けるソケット取付け手段とを備え、ソケット取付け手段は、ソケットを取付け部材に係止してこの係止点を中心として取付け部材に対して相対的に回動しつつソケットを取付け部材に弾性的に掛け止めして取付けるようにしたヒンジ装置において、ソケット取付け手段は、ソケットを取付け部材に嵌め込む方向の前方の一側端に設けられた被係止部と取付け部材に設けられソケットの被係止部を係止する係止部とから成り、ソケットの被係止部と取付け部材の係止部との係止点を中心として前記ソケットを斜め側方に押し付けつつ回動してソケットを取付け部材に取付けることを特徴とするヒンジ装置を提供することにある。
【００１２】
本発明のこの基本的な課題解決手段において、ソケットの被係止部は、ソケットを取付け部材に嵌め込む方向の前方の一側端の縁に設けられた被係止片とすることができ、また取付け部材は、扉に固定されてソケットが嵌入して取付けられる取付け孔を有する取付け板から成り、その係止部は、取付け板の取付け孔の幅方向に対してほぼ直交するように設けられた係止片とすることができる。
【００１３】
取付け部材が取付け板から成っている場合、この取付け板は、ソケットを取付け部材に弾性的に掛け止めする掛け止め部が取付け部材の取付け孔を潜り抜けるように案内する案内片を有するのが好ましく、またソケットは、取付け板に掛け止めされた状態で取付け板に対し抜け出しを防止するように取付け板に係合する係合フランジを有するのが好ましい。
【００１４】
また、本発明の基本的な課題解決手段において、ソケットとヒンジ本体とはリンク機構を介して回動自在になっている場合、ソケットを取付け部材に弾性的に掛け止めする掛け止め部は、ソケットとアームとの間に配置されたスペーサに設けられているのが好ましく、特に、この掛け止め部は、ソケットとアームとの間に設けられたスペーサを構成する２つの間隔をあけたスペーサ部分を連結するスペーサ連結部分から成っているのが好ましい。
【００１５】
本発明の第２の課題解決手段は、相互に開閉自在に連結されるべき収納物体本体と扉とのうち扉に取付けられるべきソケットと、このソケットに回動自在に取付けられ収納物体本体に取付けられるべきヒンジ本体とから成り、ソケットを上記の収納物体本体の取付け部材に係止してこの係止点を中心として取付け部材に対して相対的に回動しつつソケットを取付け部材に弾性的に掛け止めして取付けられるようにしたヒンジアッセンブリにおいて、ソケットは、このソケットを取付け部材に嵌め込む方向の前方の一側端に設けられて取付け部材に係止されるべき被係止部を有することを特徴とするヒンジアッセンブリを提供することにある。
【００１６】
本発明の第２の課題解決手段において、ソケットの被係止部は、ソケットを取付け部材に嵌め込む方向の前方の一側端の縁に設けられた被係止片から成っているものとすることができる。
【発明の効果】
【００１７】
本発明によれば、ソケットを取付け部材に嵌め込む方向の前方の一側端に設けられた被係止部を取付け部材の係止部に係止してこの被係止部と係止部との係合点を中心としてソケットを斜め側方に押し付けつつソケットを取付け部材に取付けるので、取付け部材はカップ状であることが要求されることはなく、従ってソケット取付け部の二重構造が解消され、構造が簡単となって安価に提供することができる。
【００１８】
従って、取付け部材は、扉に固定されてソケットが嵌入して取付けられる取付け孔を有する簡単な取付け板とすることができ、またソケットの被係止部が係止すべき係止部は、この取付け板の取付け孔の幅方向に対してほぼ直交するように設けられた係止片とすることができるので、取付け部材の構造が簡単となる上に、ソケットはこの取付け孔を通して斜め横向きに差し込んで係止片に容易に係止することができるので、嵌め込み操作が容易で組み立て作業を向上することができる。
【００１９】
また、ソケットを扉側の取付け部材に弾性的に掛け止めする掛け止め部がケットとアームとの間に配置されたスペーサに設けられ、特にこの掛け止め部がソケットとアームとの間に設けられたスペーサを構成する２つの間隔をあけたスペーサ部分を連結するスペーサ連結部分から成っていると、スペーサの弾性を利用してソケットの掛け止めを円滑に行うことができ、従ってソケット自体は堅固に形成することができるので、重量がある扉でも確実に支持することができる実益がある。
【００２０】
また、ソケットが取付け板に嵌め込まれる場合、取付け板に設けられての係止片、ソケットの掛け止め部を案内する案内片、ソケットの上面が係合する係合フランジがソケットを取付け板に安定して保持する機能を有するので、ソケット取付け手段がカップ状の二重構造でなくてもソケットを扉に確実に保持することができる。
【発明を実施するための最良の形態】
【００２１】
本発明の実施の形態を図面を参照して詳細に述べると、図１及び図２は、本発明のヒンジ装置１０の応用例を示し、図示の例では、ヒンジ装置１０は、パチンコの如き遊技具用の収納物体（ケース）１２の収納物体本体１４とこの収納物体本体１４に取付けられる扉１６と間に設けられて扉１６を開閉自在に支持している。図示の例では、ヒンジ装置１０は、収納物本体１４と扉１６との間で上下２ケ所に設けられているが、３ケ所以上であってもよいし、縦寸法が小さければ、１ケ所であってもよい。なお、本発明のヒンジ装置１０は、このような遊戯具だけでなく、家具、建造物等種々の収納物体本体と扉の如き相互に開閉する種々の収納物体の扉を枢動自在に支持するのに用いることができる。
【００２２】
ヒンジ装置１０は、扉１６に取付けられるソケット２０と、このソケット２０にリンク機構２２を介して取付けられたヒンジ本体２４と、ソケット２０を扉１６に取り付ける取付け部材２６と、ソケット２０をこの取付け部材２６に着脱自在に取付けるソケット取付け手段２８（図３参照）とを備え、ヒンジ本体２４は、後に述べるように、収納物体本体１４に固定される。
【００２３】
ソケット２０は、図４、図５及び図１０に示されているが、特に、図４に全体的に解り易く示され、このソケット２０は、上下の水平板片３０、３０’とこれらの水平板片３０、３０’を連結する垂直連結片３２とから成る断面コ字形の形態を有する。上下の水平板片３０、３０’は、取付け部材２６に取付ける際の嵌め込み方向（図１６の矢印Ａ参照）の後方に向けて斜めに延びる延長部分３０Ｅ、３０’Ｅに設けられた２つのピン孔３１Ａ、３１Ｂ、３１’Ａ、３１’Ｂを有する。これらの上下の水平板片３０、３０’は、それぞれその開放側（垂直連結片３２を有しない側）の縁に沿って上下の垂直な係合フランジ３４、３４’を有し、これらの係合フランジ３４、３４’は、複数のねじ貫通孔３４ａ、３４’ａを有する。これらの係合フランジ３４、３４’は、後に述べるように、ソケット取付け手段２８によってソケット２０を取付け部材２６に取付けた状態でソケット２０が取付け部材２６に係合して取付け部材２６の後述する取付け孔６５から嵌め込み方向に抜け出すのを防止する機能を有し、またソケット２０を取付け部材２６にねじで本固定する機能を有するが（図１４参照）、ねじ貫通孔３４ａ、３４’ａを省略してソケット２０の嵌め込みだけでソケット２０を取付け部材２６に固定するようにしてもよい。また、垂直連結片３２は、略四角形の貫通孔（打ち抜き孔）３６を有し、この貫通孔３６は、ヒンジ装置１０を折り畳んで扉１６を閉じる際にヒンジ装置１０のリンク機構２２の構成部品がこの貫通孔３６に入り込んで取付け部材２６に干渉することがないようにする働きを有する。
【００２４】
ヒンジ本体２４も、同様にして、図４、図５及び図１０に示されているが、特に、図４に全体的に解り易く示され、このヒンジ本体２４は、上下の水平板片３８、３８’とこれらの水平板片３８、３８’を連結する垂直連結片４０とから成る断面コ字形の形態を有する。上下の水平板片３８、３８’は、２つのピン孔３９Ａ、３９Ｂ、３９’Ａ、３９’Ｂをそれぞれ有する（３９’Ａ、３９’Ｂは、図４では隠れて見えない）。また、これらの上下の水平板片３８、３８’は、それぞれその開放側（垂直連結片４０を有しない側）の縁に沿って上下の垂直な固定フランジ４２、４２’を有し、これらの固定フランジ４２、４２’は、ねじ貫通孔４２ａ、４２’ａをそれぞれ有する。これらの固定フランジ４２、４２’は、ヒンジ本体２４を収納物体本体１４の側壁内面にねじで固定する機能を有する（図１参照）。なお、図４から解るように、固定フランジ４２’は、突起１０２を有し、この突起１０２は、図１６乃至図１８に示すように、収納物体本体１４の内面の相応するへこみに係入してヒンジ本体２４を収納物体本体１４に固定する位置を設定する位置決め機能を有する。
【００２５】
図示の形態では、リンク機構２２は、図４に示すように、断面コ字形の内側アーム４４とこの内側アーム４４の外側に設けられた断面コ字形の外側アーム４６とから成っている。これらのアーム４４、４６は、後に述べるように、ソケット２０とヒンジ本体２４とを枢動自在（折畳み・展開自在）に支持するようにソケット２０とヒンジ本体２４との間を連結している。
【００２６】
内側アーム４４は、上下の相対するアーム水平片４４Ｕ、４４Ｌとこれらのアーム水平片４４Ｕ、４４Ｌを連結するアーム垂直片４４Ｖとから成り、アーム水平片４４Ｕ、４４Ｌは、その両端付近にそれぞれ上下に相対する各２つのピン孔４５Ａ、４５Ｂ、４５Ａ’、４５Ｂ’をそれぞれ有する。一方、外側アーム４６も、上下の相対するアーム水平片４６Ｕ、４６Ｌとこれらのアーム水平片４６Ｕ、４６Ｌを連結するアーム垂直片４６Ｖとから成り、アーム水平片４６Ｕ、４６Ｌは、その両端付近にそれぞれ上下に相対するピン孔４７Ａ、４７Ｂ、４７Ａ’、４７Ｂ’をそれぞれ有する。
【００２７】
リンク機構２２は、ソケット２０と外側アーム４６の一端とを相互に枢動自在に連結するピン５０と、ヒンジ本体２４と外側アーム４６の他端とを枢動自在に連結するピン５２とを含んでいる（図４参照）。ピン５０は、ソケット２０の上方の水平板片３０のピン孔３１Ａと外側アーム４６の上下のアーム水平片４６Ｕ、４６Ｌのピン孔４７Ａ、４７Ａ’とソケット２０の下方の水平板片３０’のピン孔３１’Ａとに貫通し、また、ピン５２は、ヒンジ本体２４の上方の水平板片３８のピン孔３９Ａ、外側アーム４６の上下のアーム水平片４６Ｕ、４６Ｌのピン孔４７Ｂ、４７Ｂ’とヒンジ本体２４の下方の水平板片３８’のピン孔３９’Ａ（図面では見えない）とに貫通している。ソケット２０と外側アーム４６の一端及びヒンジ本体２４と外側アーム４６の他端とが相互に枢動自在に連結されている状態は、図１０乃至図１３及び図１６乃至図１８に示されている。
【００２８】
リンク機構２２は、また、同様に、ソケット２０と内側アーム４６の一端とを相互に枢動自在に連結するピン５４とヒンジ本体２４と内側アーム４６の他端とを相互に枢動自在に連結するピン５６を含んでいる（図４参照）。ピン５４は、ソケット２０の上方の水平板片３０のピン孔３１Ｂと内側アーム４４の上下のアーム水平片４４Ｕ、４４Ｌのピン孔４５Ａ、４５Ａ’とソケット２０の下方の水平板片３０’のピン孔３１’Ｂとに貫通し、また、ピン５６は、ヒンジ本体２４の上方の水平板片３８のピン孔３９Ｂ、内側アーム４４の上下のアーム水平片４４Ｕ、４４Ｌのピン孔４５Ｂ、４５Ｂ’とヒンジ本体２４の下方の水平板片３８’のピン孔３９’Ｂ（図面では見えない）とに貫通している。ソケット２０と内側アーム４６の一端及びヒンジ本体２４と内側アーム４６の他端とが相互に枢動自在に連結されている状態は、図１０乃至図１３及び図１６乃至図１８に示されている。
【００２９】
リンク機構２２は、これらの内外のアーム４４、４６のリンク仕掛け動作によって扉１６を収納物体本体１４に開閉自在に連結し、このリンク機構２２の動作は、本発明の要旨とは関係がないので、その動作の詳細な説明を省略する。
【００３０】
ソケット取付け手段２８は、ソケット２０を取付け部材２６に係止してこの係止点を中心として回動しつつ取付け部材２６に嵌め込み、取付け部材２６に弾性的に掛け止めして取付けるが、その詳細を以下に述べる。
【００３１】
即ち、ソケット取付け手段２８は、図１６及び図１７に示すように、ソケット２０を取付け部材２６に嵌め込む方向の前方の一側端に設けられた被係止部６０と、取付け部材２６に設けられソケット２０の被係止部６０を係止する係止部６２とから成り、ソケット２０は、その被係止部６０と取付け部材２６の係止部６２との係止点を中心として斜め側方に押し付けられながら（図１７の矢印Ｂ参照）回動して（図１７の矢印Ｃ参照）取付け部材２６に取付けられる。
【００３２】
図示の形態では、ソケット２０の被係止部６０は、ソケット２０の嵌め込み方向の端部の縁（垂直連結片３２の一方の縁）に設けられた被係止片６０Ｐから成っており（図１６参照）、また取付け部材２６は、扉１６に固定されてソケット２０が嵌入して取付けられる取付け孔６５を有する取付け板６４から成り（図４、図７参照）、その係止部６２は、取付け板６４の取付け孔６５に対してほぼ直交するように設けられた係止片６２Ｐから成っている（図４、図７参照）。
【００３３】
図２に示すように、扉１６は、取付け板６４のねじ貫通孔６４ａに対応して固定された複数のスペーサパイプ１０４（図２では１つのスペーサパイプ１０４のみが示されている）を有し、取付け板６４は、このスペーサパイプ１０４の端部にあてがわれてねじ貫通孔６４ａを貫通してスペーサパイプ１０４の端部ねじ部にねじ込まれたねじ１０６によって扉１６の内面から間隔をあけて扉１６に取付けられている。なお、図４に示すように、取付け板６４は、取付け孔６５の上縁に沿って水平に延びる案内片１０８を有し、この案内片１０８は、ソケット２０を取付け板６４の取付け孔６５に嵌め込む際にソケット２０を案内すると共にソケット２０の嵌め込み後、ソケット２０を取付け孔６５に安定状態に保持する機能を有する。また、取付け板６４は、上下のソケット取付部の間に板面に直角に折り曲げて形成された補強リブ１１２を有する（図４、図７参照）。
【００３４】
図示の形態では、ソケット２０とリンク機構２２の外側アーム４６との間には合成樹脂製のスペーサ６６が設けられている（図１０、図１２、図１４参照）。このスペーサ６６は、図３乃至図６に示されているが、特に図６に全体的に示されている。スペーサ６６は、ソケット２０の上下の水平板片３０、３０’と外側アーム４６の上下のアーム水平片４６Ｕ、４６Ｌとの間に配置される２つの間隔をあけた第１のスペーサ部分６８、６８’と第２のスペーサ部分７０、７０’と、これらの第１と第２のスペーサ部分６８、６８’と７０、７０’とを相互に連結するスペーサ連結部分７２とから成っている。
【００３５】
第１のスペーサ部分６８、６８’は、ピン５０が貫通するピン貫通孔６８ａ、６８’ａを有し、また第２のスペーサ部分７０、７０’は、ピン５４が貫通するピン貫通孔７０ａ、７０’ａを有し、ピン貫通孔７０ａ、７０’ａは、図３及び図６から解るように、長孔となっていて第２のスペーサ部分７０、７０’とスペーサ連結部分７２とが第１のスペーサ部分６８、６８’に対して撓むことができるようになっている。
【００３６】
ソケット２０を扉１６側の取付け部材２６に弾性的に掛け止めする掛け止め部７４は、図示の形態では、取付け部材２６である取付け板６４の取付け孔６５の縁６５ｆ（図４参照）に掛け止めされるスペーサ６６の一部から成っている。更に詳細に述べると、図示の例では、この掛け止め部７４は、スペーサ６６のスペーサ連結部分（掛け止めアーム）７２に設けられた肩部（係合爪）７２Ｓから成り（図６（Ａ）参照）、後に詳細に述べるが、ソケット２０を取付け板６４の取付け孔６５に嵌め込む際に、スペーサ連結部分（掛け止めアーム）７２は、取付け孔６５の縁６５ｆを構成する案内片１１４によって撓みを受けながらこの取付け孔６５を潜って嵌め込まれ、その後この撓みから復元して肩部（掛け止め爪）７２Ｓが取付け孔６５の縁６５ｆに掛け止めされる。
【００３７】
なお、第１及び第２のスペーサ部分６８、６８’及び７０、７０’がスペーサ連結部分７２によって連結されていなくてもよく、この場合には、掛け止め部７４は、スペーサ部分６８と６８’または７０と７０’を連結する部分から嵌め込み方向に延びる延長部分に形成してこの延長部分を掛け止め爪を有する掛け止めアームとする。更に、掛け止め部７４は、スペーサ６６ではなく、ソケット２０自体に設けてもよいが、この場合には、掛け止め部７４となるソケット部分は、取付け孔６５をかいくぐることができるように可撓性を有することが要求される。
【００３８】
次に、本発明に係わるヒンジ装置１０の組み付け方法を図７乃至図９、図１０乃至図１３及び図１４乃至図１６を参照して述べる。まず、図２に示すように、取付け部材２６である取付け板６４をスペーサパイプ１０４を介してねじ１０６によって扉１６の内面に固定し、また予めソケット２０とヒンジ本体２４との間にリンク機構２２を組み付けて形成されたヒンジアッセンブリ１１０を用意し、このヒンジアッセンブリ１１０のヒンジ本体２４の固定片４２、４２’をそのねじ貫通孔４２ａ、４２’ａを貫通するねじで収納物体本体１４の内面に固定してヒンジ本体２４を収納物体本体１４に取付ける。
【００３９】
次いで、リンク機構２２を展開した状態でソケット２０を扉１６に固定された取付け部材２６である取付け板６４に嵌め込んでソケット２０を固定するが、その手順を図７乃至図９、図１０乃至図１５及び図１６乃至図１８、特に図１６乃至図１８を参照して以下に詳細に説明する。
【００４０】
まず、図１６（図７、図１０及び図１１も参照）に示すように、ソケット２０の被係止片６０Ｐを斜め前方に向けながらソケット２０を取付け板６４の取付け孔６５に図１６の矢印Ａ方向に、次いで図１７の矢印Ｂ方向に嵌め込み、被係止片６０Ｐを取付け板６４の係止片６２Ｐに係止する（図８、図１２、図１３及び図１７参照）。このようにすると、ソケット２０側の被係止片６０Ｐは、取付け板６４側の係止片６２Ｐに係止し、この係止点を中心にしてソケット２０を図１７の矢印Ｃ方向に回動しながら嵌め込むことができる。
【００４１】
ソケット２０が矢印Ｃ方向に回動しながら嵌め込まれると、ソケット２０とリンク機構２２の外側アーム４６との間に配置されたスペーサ６６のスペーサ連結部分（掛け止めアーム７５Ａ）７２が取付け板６４の案内片１１４によって内側に撓ませられながら取付け孔６５を潜り抜け、スペーサ連結部分（掛け止めアーム）７２の肩部（掛け止め爪）７２Ｓ（図６（Ａ）参照）が取付け孔６５を越えると、スペーサ連結部分（掛け止めアーム）７２の復元力によって肩部（掛け止め爪）７２Ｓが取付け孔６５の縁６５ｆに掛け止めされる（図９、図１２、図１５及び図１８参照）。
【００４２】
ソケット２０の被係止片６０Ｐが取付け板６４の係止片６２に係止すると、ソケット２０の上下の水平板片３０、３０’の被係止片６０側の縁３０ｆ、３０’ｆが係止片６２の内面に係合し（図１８参照）、被係止片６０が係止片６２に係止するのを確実にし、またソケット２０が嵌め込まれて掛け止めされると、この掛け止め部７４と対称的な位置で、被係止片６０Ｐが係止片６２Ｐに係止して掛け止めされる。
【００４３】
従って、スペーサ連結部分（掛け止めアーム）７２の肩部（掛け止め爪）７２Ｓと取付
け孔６４の取付け孔６５の縁６５ｆとの掛け止めとソケット２０の被係止片６０Ｐと取付
け板６４の係止片６２Ｐとの掛け止めによってソケット２０が扉１６から離れる方向に抜
けるのが防止され、更にソケット２０の上下の水平板片３０、３０’の両側縁と取付け板
６４の係止片６２Ｐと案内片１０８、１１４との係合によってソケット２０が左右に変位
することなく拘束され、ソケット２０は、取付け板６４に嵌着される。
【００４４】
図１４に示すように、ソケット２０の上下の係合フランジ３４、３４’のねじ貫通孔３４ａ、３４’ａに貫通したねじを取付け板６４のねじ孔にねじ込んでソケット２０を取付け板６４に本固定することもできるが、この本固定は省略してもよいことは既に述べた通りである。ただし、既に述べたように、これらの係合フランジ３４、３４’は、ソケット２０が扉１６の内面に向けて取付け板６４から抜け出るのを防止する機能も有するので、本固定しない場合であってもこれらの係合フランジ３４、３４’を設けることが必要である。
【００４５】
ソケット２０を取付け板６４から外すためには、ソケット２０の本固定を外した後、図１８の状態から適宜の治具でスペーサ６６のスペーサ連結部分（掛け止めアーム）７２を図１８の右側に撓ませてその肩部（掛け止め爪）７２Ｓを取付け板６４の取付け孔６５の縁６５ｆから掛け外す。この状態で、この掛け外した部分からソケット２０を扉１６の内面から離れる方向に抜き出すことによってソケット２０を扉１６から外すことができる。    
【００４６】
なお、上記の組み付け方法では、ソケット２０を取付け板６４の取付け孔６５に嵌め込んでソケット２０を係止点を中心に回動して掛け止めするように説明したが、収納物体本体１４が重く、ソケット２０を扉１６の取付け板６４に嵌め込むことが困難な場合には、扉１６側の取付け板６４の取付け孔６５にソケット２０が嵌り込んで掛け止めされるように取付け板６４を動かしてもよい。また、ヒンジ装置１０のヒンジ本体２４を収納物体本体１４に固定する前に、ソケット２０を扉１６の取付け板６４に取付け、その後ヒンジ装置１０のヒンジ本体２４を収納物体本体１４に固定してもよい。
【００４７】
また、上記実施の形態では、リンク機構２２は、内外のアーム４４、４６から成っているが、これらのアームの数及び形態は上記の構造に限定されることなく、任意の形態のものであってもよい。更に、上記実施の形態では、ソケット２０とヒンジ本体２４とは、リンク機構２２を介して回動自在に取付けられているが、本発明は、ソケット２０とヒンジ本体２４とが直接ピボット止めされて回動自在に取付けられているものにも同様に適用することができる。
【産業上の利用可能性】
【００４８】
本発明は、ヒンジ装置を相互に開閉自在に結合されるべき収納物体本体と扉のうち扉に取付ける際に、このヒンジ装置を扉に取付けるソケット取付け部は、二重構造とすることなく、構造が簡単となるので、ヒンジ装置を安価に提供することができる上に、取付け作業を容易にすることができる。
【図面の簡単な説明】
【００４９】
【図１】本発明に係わるヒンジ装置が取付けられた扉付き収納物体の扉を開いた状態の斜視図である。
【図２】図１のヒンジ装置に扉を連結する直前の水平断面図である。
【図３】本発明のヒンジ装置の要部の拡大説明図である。
【図４】本発明のヒンジ装置の分解斜視図である。
【図５】本発明のヒンジ装置の分解平面図である。
【図６】本発明のヒンジ装置に用いられるスペーサを拡大して示し、同図（Ａ）は、その斜視図、同図（Ｂ）はその平面図である。
【図７】本発明のヒンジ装置に扉を連結する直前の状態を扉の内面側から見た斜視図である。
【図８】本発明のヒンジ装置に扉を連結するためにソケットを取付け部材に嵌め込み始めた状態を扉の内面側から見た斜視図である。
【図９】本発明のヒンジ装置に扉を連結するためにソケットを取付け部材に嵌め込んだ状態を扉の内面側から見た斜視図である。
【図１０】本発明のヒンジ装置に扉を連結する直前の状態を図７とは反対側から見た拡大斜視図である。
【図１１】本発明のヒンジ装置に扉を連結する直前の状態の拡大平面図である。
【図１２】本発明のヒンジ装置に扉を連結するためにソケットを取付け部材に嵌め込み始めた状態を図８とは反対側から見た拡大斜視図である。
【図１３】本発明のヒンジ装置に扉を連結するためにソケットを取付け部材に嵌め込み始めた状態の拡大平面図である。
【図１４】本発明のヒンジ装置のソケットを取付け部材に嵌め込んだ状態を図９とは反対側から見た拡大斜視図である。
【図１５】本発明のヒンジ装置のソケットを取付け部材に嵌め込んだ状態の拡大平面図である。
【図１６】本発明のヒンジ装置に扉を連結する直前の状態の拡大水平断面図である。
【図１７】本発明のヒンジ装置に扉を連結するためにソケットを取付け部材に嵌め込み始めた状態の拡大水平断面図である。
【図１８】本発明のヒンジ装置のソケットを取付け部材に嵌め込んだ状態の拡大水平断面図である。
【符号の説明】
【００５０】
１０    ヒンジ装置
１２    収納物体（ケース）
１４    収納物体本体
１６    扉
２０    ソケット
２２    リンク機構
２４    ヒンジ本体
２６    取付け部材
２８    ソケット取付け手段
３０、３０’  ソケット２０の上下の水平板片
３０Ｅ、３０’Ｅ 水平板片の延長部分
３０ｆ、３０’ｆ  水平板片３０、３０’の縁
３１Ａ、３１Ｂ、３１’Ａ、３１’Ｂ  ソケット２０のピン孔
３２    ソケット２０の垂直連結片
３４、３４’  ソケット２０の上下の垂直係合フランジ
３４ａ、３４’ａ  係合フランジ３４、３４’のねじ貫通孔
３６    垂直連結片３２の貫通孔
３８、３８’  ヒンジ本体２４の上下の水平板片
３９Ａ、３９Ｂ、３９’Ａ、３９’Ｂ  ヒンジ本体２４のピン孔
４０  ヒンジ本体２４の垂直連結片
４２、４２’  ヒンジ本体２４の上下の垂直固定片
４１ａ、４２’ａ  固定片４２、４２’のねじ貫通孔
４４    内側アーム
４４Ｕ、４４Ｌ  内側アーム４４の上下のアーム水平片
４４Ｖ  内側アーム４４のアーム垂直片
４５Ａ、４５Ａ’、４５Ｂ、４５’Ｂ  アーム水平片４４Ｕ、４４Ｌの各２つのピン孔  ４６  外側アーム
４６Ｕ、４６Ｌ  外側アーム４６の上下のアーム水平片
４６Ｖ  外側アーム４６のアーム垂直片
４７Ａ、４７Ａ’、４７Ｂ、４７’Ｂ  アーム水平片４６Ｕ、４６Ｌの各２つのピン孔  ５０、５２、５４、５６  ピン
６０    被係止部
６０Ｐ  被係止片
６２    係止部
６２Ｐ  係止片
６４    取付け板
６４ａ  ねじ貫通孔
６５    取付け孔
６５ｆ  取付け孔６５の縁
６６    スペーサ
６８、６８’、７０、７０’  第１及び第２のスペーサ部分
６８ａ、６８’ａ、７０ａ、７０’ａ  ピン貫通孔
７２    スペーサ連結部分（掛け止めアーム）
７２Ｓ  スペーサ連結部分の肩部（掛け止め爪）
７４    掛け止め部
７５Ａ 掛け止めアーム
１０２  固定片４２’の突起
１０４  スペーサタイプ
１０６  ねじ
１０８  取付け板６４の案内片
１１０  ヒンジアッセンブリ
１１２  補強リブ
１１４  取付け孔６４の他の案内片
【図１】
0004213009.tif 000002
【図２】
0004213009.tif 000003
【図３】
0004213009.tif 000004
【図４】
0004213009.tif 000005
【図５】
0004213009.tif 000006
【図６】
0004213009.tif 000007
【図７】
0004213009.tif 000008
【図８】
0004213009.tif 000009
【図９】
0004213009.tif 000010
【図１０】
0004213009.tif 000011
【図１１】
0004213009.tif 000012
【図１２】
0004213009.tif 000013
【図１３】
0004213009.tif 000014
【図１４】
0004213009.tif 000015
【図１５】
0004213009.tif 000016
【図１６】
0004213009.tif 000017
【図１７】
0004213009.tif 000018
【図１８】
0004213009.tif 000019